(57)【要約】      （修正有）【課題】ユーザが発信しようとする際、所望の発信相手を容易に見つけ出すことができるハンズフリー装置及び制御方法を提供する。【解決手段】携帯電話機のユーザの送話音声を収音して前記携帯電話機に送信すると共に、前記携帯電話機から受話音声を受信して放音するハンズフリー通話装置１０において、前記携帯電話機に格納された電話帳データに登録されている発信相手と、当該発信相手への発信日時とを対応付けて記録した発信経歴データ１２３、及び、現在の日時に基づいて、発信先として選択される可能性の高い発信相手を検索し、該当する発信相手を電話帳として表示部１０４に一覧表示する構成とした。【選択図】図２
2008066826.tif 000002
【特許請求の範囲】
【請求項１】
携帯電話機のユーザの送話音声を収音して前記携帯電話機に送信すると共に、前記携帯電話機から受話音声を受信して放音するハンズフリー通話装置において、
前記携帯電話機に格納された電話帳データに登録されている発信相手と、当該発信相手への発信日時とを対応付けて記録する発信経歴記録手段と、
前記発信経歴記録手段による記録、及び、現在の日時に基づいて、発信先として選択される可能性の高い発信相手を検索し、該当する発信相手を取得する検索手段と、
前記検索された発信相手を表示する表示手段と
を具備することを特徴とするハンズフリー通話装置。
【請求項２】
請求項１に記載のハンズフリー通話装置において、
前記検索手段は、過去に発信された経歴、現在時刻を含む所定の時間帯に発信された経歴、及び、現在の日付の曜日と同じ曜日に発信された経歴の順に絞込検索を順次実行し、該当する発信相手が無くなった場合には、直前の検索に該当する発信相手を、前記発信先として可能性の高い発信相手として取得する
ことを特徴とするハンズフリー通話装置。
【請求項３】
請求項１に記載のハンズフリー通話装置において、
ユーザの勤務日を記憶する記憶手段を更に備え、
前記発信経歴記録手段が、前記発信日時と共に勤務日であるか否かを対応付けて記録し、
前記検索手段が、前記発信経歴記録手段による記録と、現在の日時及び勤務日であるか否かに基づいて、発信先として選択される可能性の高い発信相手を検索する
ことを特徴とするハンズフリー通話装置。
【請求項４】
請求項１乃至３のいずれかに記載のハンズフリー通話装置において、
前記発信経歴記録手段による記録が空である場合には、前記電話帳データに登録されている発信相手を表示する
ことを特徴とするハンズフリー通話装置。
【請求項５】
携帯電話機のユーザの送話音声を収音して前記携帯電話機に送信すると共に、前記携帯電話機から受話音声を受信して放音するハンズフリー通話装置の制御方法において、
前記携帯電話機に格納された電話帳データに登録されている発信相手と、当該発信相手への発信日時とを対応付けて記録したデータ、及び、現在の日時に基づいて、発信先として選択される可能性の高い発信相手を検索し、該当する発信相手を電話帳として一覧表示することを特徴とする制御方法。
【発明の詳細な説明】
【技術分野】
【０００１】
本発明は、ハンズフリー通話装置、及び、その制御方法に関する。
【背景技術】
【０００２】
従来、ハンズフリー通話装置において、発信相手の名称と電話番号とが対応付けて登録された電話帳データを記憶部に予め格納し、ユーザが発信の際に上記電話帳データを呼び出すことで、当該電話帳データに予め登録されている発信相手先の一覧を表示部に表示するようにしたものが知られている。また、この種のハンズフリー通話装置では、ユーザが発信する際に、現在時刻に基づいてユーザが勤務中か否かを判定し、この判定結果に応じて、電話帳データに登録されている発信相手をユーザが発信する可能性の高い順にソートし、そのソート結果を一覧として表示部に表示することで、ユーザが発信相手を選択し易くした技術が提案されている（例えば、特許文献１参照）。
【特許文献１】特開平１０−２３１３５号公報
【発明の開示】
【発明が解決しようとする課題】
【０００３】
しかしながら、上記ハンズフリー通話装置は、電話帳データへの登録件数が多くなると、例えソートして一覧を表示するようにしても、その一覧に表示される発信相手先が多くなるため、その一覧から所望の発信相手を見つけ出すのが困難になるという問題があった。
本発明は、上述した事情に鑑みてなされたものであり、ユーザが発信しようとする際、所望の発信相手を容易に見つけ出すことができるハンズフリー通話装置、及び、制御方法を提供することを目的とする。
【課題を解決するための手段】
【０００４】
上記目的を達成するために、本発明は、携帯電話機のユーザの送話音声を収音して前記携帯電話機に送信すると共に、前記携帯電話機から受話音声を受信して放音するハンズフリー通話装置において、前記携帯電話機に格納された電話帳データに登録されている発信相手と、当該発信相手への発信日時とを対応付けて記録する発信経歴記録手段と、前記発信経歴記録手段による記録、及び、現在の日時に基づいて、発信先として選択される可能性の高い発信相手を検索し、該当する発信相手を取得する検索手段と、前記検索された発信相手を表示する表示手段とを具備することを特徴とする。
【０００５】
また本発明は、上記発明において、前記検索手段は、過去に発信された経歴、現在時刻を含む所定の時間帯に発信された経歴、及び、現在の日付の曜日と同じ曜日に発信された経歴の順に絞込検索を順次実行し、該当する発信相手が無くなった場合には、直前の検索に該当する発信相手を、前記発信先として可能性の高い発信相手として取得することを特徴とする。
【０００６】
また本発明は、上記発明において、ユーザの勤務日を記憶する記憶手段を更に備え、前記発信経歴手段が、前記発信日時と共に勤務日であるか否かを対応付けて記録し、前記検索手段が、前記発信経歴記録手段による記録と、現在の日時及び勤務日であるか否かに基づいて、発信先として選択される可能性の高い発信相手を検索することを特徴とする。
【０００７】
また本発明は、上記発明において、前記発信経歴記録手段による記録が空である場合には、前記電話帳データに登録されている発信相手を表示することを特徴とする。
【０００８】
また、上記目的を達成するために、本発明は、携帯電話機のユーザの送話音声を収音して前記携帯電話機に送信すると共に、前記携帯電話機から受話音声を受信して放音するハンズフリー通話装置の制御方法において、前記携帯電話機に格納された電話帳データに登録されている発信相手と、当該発信相手への発信日時とを対応付けて記録したデータ、及び、現在の日時に基づいて、発信先として選択される可能性の高い発信相手を検索し、該当する発信相手を電話帳として一覧表示することを特徴とする。
【発明の効果】
【０００９】
本発明によれば、発信経歴記録手段による記録、及び、現在の日時に基づいて、発信先として選択される可能性の高い発信相手が表示されるため、電話帳に多くの発信相手が登録されていても、所望の発信相手を簡単に見つけ出すことができる。
【発明を実施するための最良の形態】
【００１０】
以下、図面を参照して本発明の実施の形態について説明する。
図１は、本実施形態に係るハンズフリー通話装置１０を備えたハンズフリー通話システム１の構成を概略的に示す図である。この図に示すように、ハンズフリー通話システム１は、車両５０に搭載されたハンズフリー通話装置１０と、ユーザにより車両５０内に持ち込まれた携帯電話機２０とを有し、ハンズフリー通話装置１０及び携帯電話機２０が互いにBluetooth（登録商標）規格に準拠した近距離無線通信可能に構成されている。携帯電話機２０は、移動通信網３０を介して他の携帯電話機４０や固定電話（図示略）と通話通信するものであり、スピーカやマイク、通話通信のためのアンテナ等を備えている。
上記ハンズフリー通話装置１０は、運転手や同乗者等のユーザが車両５０内で携帯電話機２０を把持することなく、他の携帯電話機４０や固定電話（図示略）と通話することを可能にする装置であり、ユーザからの送話音声を携帯電話機２０へ送信すると共に、他の携帯電話機４０や固定電話からの受話音声を携帯電話機２０から受信して車両５０内に放音する。
【００１１】
図２は、ハンズフリー通話装置１０の機能的構成を示すブロック図である。この図において、制御部１００は、各部を中枢的に制御するものである。
近距離無線通信部１０１は、携帯電話機２０との間で近距離無線通信する無線通信装置（図示略）を有し、携帯電話機２０が他の携帯電話機４０や固定電話から受けた受話音声を受信して制御部１００に出力し、また、他の携帯電話機４０や固定電話への送話音声を携帯電話機２０に送信する。
放音部１０２は、制御部１００からの音声信号にしたがって車室内に音声を放音するものであり、受音部１０３は、ユーザの発した送話音声を収音し、音声信号に変換した後に制御部１００に出力する。
制御部１００は、近距離無線通信部１０１から受話音声を取得した場合、その受話音声に基づいて音声出力信号を生成し放音部１０２に出力して受話音声を放音部１０２から車室内に放音し、また、受音部１０３から送話音声を取得した場合、当該送話音声を近距離無線通信部１０１を介して携帯電話機２０に送信し、携帯電話機２０から他の携帯電話機４０や固定電話に送話信号を伝送する。
【００１２】
表示部１０４は、制御部１００の制御の下、各種情報を表示するものであり、この表示部１０４には、後述する電話帳データ１２４に登録されている発信相手先の一覧が電話帳として表示される。
操作部１０５は、上記電話帳の表示指示といった、ユーザの指示入力を制御部１００に出力するものである。また、この操作部１０５には、電話帳を操作するためのＹＥＳボタン１１５、ＮＯボタン１１６及びＣＡＮＣＥＬボタン１１７が設けられている。
エンジン稼働検知部１０６は、車両５０のエンジンの始動及び停止を検知して制御部１００に出力するものであり、具体的には、アクセサリー電源のオン／オフに基づいて、エンジンの始動及び始動を検知する。
計時部１０７は、１Ｈｚの信号を生成する発振器と、当該発振器の信号に基づいて時刻をカウントする秒カウンタ、分カウンタ及び時カウンタと、時刻に基づいて日付をカウントする日付カウントを有し、現在時刻及び日付をカウントして制御部１００に出力するものである。
記憶部１０８は、制御部１００が実行する各種プログラムやデータを記憶するものであり、これらの他にも記憶部１０８には、カレンダーデータ１２０と、エンジン稼働記録データ１２１、勤務日データ１２２と、発信経歴データ１２３と、電話帳データ１２４とが更に記憶されている。
【００１３】
カレンダーデータ１２０は、日付と、その日付の曜日及び祝祭日との対応を示すデータである。
エンジン稼働記録データ１２１は、車両５０のエンジンの稼働状況に基づいて、ユーザの勤務日を特定するために採取されるデータであり、このエンジン稼働記録データ１２１には、ユーザが車両５０のエンジンを始動及び停止するごとに、そのときの時刻、曜日、及び、その日が祝祭日に該当するか否かが制御部１００によって記録される。
勤務日データ１２２は、上記エンジン稼働記録データ１２１に基づいて、ユーザが勤務する曜日であると推定された曜日を示すものである。
【００１４】
より詳細には、エンジン稼働検知部１０６によってエンジンの始動又は停止が検知された場合、制御部１００は、現在時刻及び日付を計時部１０７から取得すると共に、その日付の曜日、及び、その日付が祝祭日に該当するか否かをカレンダーデータ１２０に基づいて判断し、その時刻、曜日、及び、その日が祝祭日に該当する否かを示すフラグを含む１つのレコードを生成してエンジン稼働記録データ１２１に記録する。そして、制御部１００は、所定日数ごとに、エンジン稼働記録データ１２１の各レコードに基づいて、所定の時間帯に決まってエンジンが始動される曜日を勤務日として抽出し、その曜日を勤務日データに記録する。
【００１５】
上記発信経歴データ１２３は、ユーザが過去に発信した経歴を記録するデータであり、図３に示すように、ユーザが発信した発信相手と、発信時刻、発信日付、曜日、祝祭日フラグ及び勤務日フラグとを対応付けて記録する。祝祭日フラグは、発信日付が祝祭日に該当するか否かを示し、勤務日フラグは、発信日付が勤務日に該当するか否かを示すものである。
この発信経歴データ１２３には、ユーザがハンズフリー通話装置１０を用いて発信するごとに制御部１００によって記録が追加される。すなわち、制御部１００は、発信が行われた場合、上記エンジン稼働記録データ１２１と同様にして、発信相手、発信日付、発信時刻、曜日、祝祭日フラグ及び勤務日フラグを含む１件のレコードを生成し、発信経歴データ１２３に追加する。このように、発信経歴データ１２３は、ユーザの発信した履歴を示すことから、本実施形態では、いわゆる発信履歴としても用いることとしている。
【００１６】
電話帳データ１２４は、発信相手の名称及び電話番号が記録されたデータである。図４に示すように、電話帳データ１２４の１件のレコードには、発信相手（名称及び電話番号）と、電話帳データ１２４に基づく電話帳を表示部１０４に表示する際に参照される検索インデックス情報１３０とが含まれている。各レコードの発信相手の情報は、ユーザの携帯電話機２０に格納された電話帳データに登録されている発信相手の情報から取得されたものである。また、検索インデックス情報１３０は、日時、及び、日付から特定される曜日や祝祭日、勤務日等の情報に基づいて発信相手を分類するものであり、時刻パラメータ１４０と、曜日パラメータ１４１と、祝祭日パラメータ１４２と、勤務日パラメータ１４３とを有している。
【００１７】
時刻パラメータ１４０は、発信相手先に対して発信が行われる可能性の高い時刻（時間帯）を示し、曜日パラメータ１４１は、その発信相手先に発信が行われる可能性の高い曜日を示すものである。また、祝祭日パラメータ１４２は、その発信相手先への発信が祝祭日に行われるか否かを示すフラグであり、勤務日パラメータ１４３は、その発信相手先への発信が勤務日に行われるか否かを示すフラグである。
これらの時刻パラメータ１４０、曜日パラメータ１４１、祝祭日パラメータ１４２、及び、勤務日パラメータ１４３は、上記発信経歴データ１２３の記録の統計に基づいて発信相手ごとに生成される。
【００１８】
具体的には、制御部１００は、電話帳データ１２４に登録されている発信相手ごとに、時刻帯ごとの発信回数、曜日ごとの発信回数、祝祭日における発信回数、及び、勤務日における発信回数を発信経歴データ１２３に基づいて計数する。
そして、制御部１００は、その発信相手への発信時刻が集中している時間帯（他の時間帯よりも多い発信回数が多い時間帯）を時刻パラメータ１４０に設定し、その発信相手への発信が集中している曜日（発信回数が最多の曜日）を曜日パラメータ１４１に設定する。このとき、発信時刻や曜日が全時間帯や全曜日にわたって略均一に分散している場合や、発信回数自体が少ない場合、制御部１００は、発信が集中している時間帯や曜日を特定せず、時刻パラメータ１４０や曜日パラメータ１４１に未設定である事を示す情報（図示例では「０」）を設定する。
【００１９】
また、制御部１００は、その発信相手への発信が平日よりも祝祭日に集中している場合は、その旨を示すフラグ（図示例では「１」）を祝祭日パラメータ１４２に設定し、その発信相手への発信が勤務日に集中している場合には、その旨を示すフラグ（図示例では「１」）を勤務日パラメータ１４３に設定する。このとき、時刻パラメータ１４０及び曜日パラメータ１４１と同様に、平日と祝祭日との間での発信回数の差が小さい場合や、勤務日と勤務日との間での発信回数の差が小さい場合、発信回数自体が少ない場合には、祝祭日パラメータ１４２や勤務日パラメータ１４３に未設定である事を示す情報（「０」）を設定する。
【００２０】
上記のような検索インデックス情報１３０を各発信相手と対応付けて電話帳データ１２４に登録しておくことで、日付と、当該日付から特定される曜日、祝祭日及び勤務日とを含む日付項目により各発信相手が分類されることになる。
そして、電話帳の表示が指示された場合には、現在時刻、日付、その日付が祝祭日か否か、及び、勤務日か否かを検索キーとして電話帳データ１２４から該当する発信相手が抽出され、その発信相手の一覧が電話帳として表示される。以下、かかる電話帳表示処理について図５を参照して説明する。
【００２１】
図５は、電話帳表示処理のフローチャートである。この電話帳表示処理においては、より少ない数の発信相手を電話帳として表示するために、発信履歴、現在時刻、今日の日付（曜日、祝祭日）及び勤務日の順に該当する発信相手を絞込み検索し、該当する発信相手がゼロになった場合に、直前に絞り込まれた発信相手の一覧を電話帳として表示部１０４に表示することとしている。
具体的には、図５に示すように、制御部１００は、電話帳の表示がユーザによって指示された場合、先ず、発信経歴データ１２３を参照して、過去にユーザが発信した記録が登録されているか（発信した履歴があるか）否かを判断する（ステップＳ１）。ユーザがハンズフリー通話装置１０を使用して一度も発信を行っていない場合、発信経歴データ１２３には発信の記録が１件も登録されておらず（空の状態）、これに伴い、電話帳データ１２４における全部の発信相手について、時刻パラメータ１４０、曜日パラメータ１４１、祝祭日パラメータ１４２、及び、勤務日パラメータ１４３がいずれも未設定状態（「０」）となっており、絞込み検索をしても該当する発信相手は存在しない。したがって、制御部１００は、発信経歴データ１２３に記録が無い場合には（ステップＳ１：ＮＯ）、電話帳データ１２４に登録されている全ての発信相手の一覧を電話帳として表示部１０４に表示して（ステップＳ２）、処理を終了する。
【００２２】
一方、発信経歴データ１２３に記録がある場合（ステップＳ１：ＮＯ）、制御部１００は、現在時刻を計時部１０７から取得し、現在時刻を含む時間帯を検索キーとして、当該時間帯が時刻パラメータ１４０に設定されている発信相手を絞込検索する（ステップＳ３）。そして、制御部１００は、該当する発信相手があるか否かを判断し（ステップＳ４）、該当する発信相手が無い場合（ステップＳ４：ＮＯ）、発信経歴データ１２３に登録されている発信相手を電話帳として表示部１０４に一覧表示し（ステップＳ５）、また、該当する発信相手がある場合には（ステップＳ４：ＹＥＳ）、次の条件により更に絞込検索する。
【００２３】
すなわち、制御部１００は、今日の日付を計時部１０７から取得し、その日付が祝祭日に該当するか否かをカレンダーデータ１２０に基づいて判断する（ステップＳ６）。今日が祝祭日である場合（ステップＳ６：ＹＥＳ）、制御部１００は、祝祭日パラメータ１４２に「１」が設定されている発信相手を絞込検索し（ステップＳ７）、該当する発信相手があるか否かを判断する（ステップＳ８）。該当する発信相手が無い場合（ステップＳ８：ＮＯ）、制御部１００は、現在時刻を含む時間帯が時刻パラメータ１４０に設定されている発信相手の一覧を電話帳として表示部１０４に表示し（ステップＳ９）、また、該当する発信相手がある場合には（ステップＳ９：ＹＥＳ）、その発信相手の一覧を電話帳として表示部１０４に表示し（ステップＳ１０）、処理を終了する。
【００２４】
また、今日が祝祭日でない場合（ステップＳ６：ＮＯ）、制御部１００は、今日の曜日をカレンダーデータ１２０に基づいて特定し、その曜日を検索キーとして、当該曜日が曜日パラメータ１４１に設定されている発信相手を絞込検索する（ステップＳ１１）。次いで制御部１００は、該当する発信相手があるか否かを判断し（ステップＳ１２）、該当する発信相手が無い場合（ステップＳ１２：ＮＯ）、直前の絞込検索結果に基づいて電話帳を表示すべく上記ステップＳ９に処理手順を進め、現在時刻を含む時間帯が時刻パラメータ１４０に設定されている発信相手の一覧を電話帳として表示部１０４に表示して（ステップＳ９）、処理を終了する。
【００２５】
ステップＳ１２の検索に該当する発信相手がある場合には（ステップＳ１２：ＹＥＳ）、制御部１００は、勤務日パラメータ１４３に「１」が設定されている発信相手をさらに絞込検索し（ステップＳ１３）、該当する発信相手があるか否かを判断する（ステップＳ１４）。該当する発信相手が無い場合（ステップＳ１４：ＮＯ）、制御部１００は、上記ステップＳ１１の検索結果、すなわち、今日の曜日が曜日パラメータ１４１に設定されている発信相手の一覧を電話帳として表示部１０４に表示し（ステップＳ１５）、処理を終了する。
一方、該当する発信相手がある場合には（ステップＳ１４：ＹＥＳ）、勤務日パラメータ１４３に「１」が設定されている発信相手の一覧を電話帳として表示部１０４に表示し（ステップＳ１６）、処理を終了する。
【００２６】
以上の処理により、電話帳の表示をユーザが指示した場合、発信履歴及び現在時刻の順に発信相手の絞込検索が行われ、さらに、今日が祝祭日であるときには、祝祭日による絞込検索が行われ、また、今日が祝祭日でなければ、曜日及び勤務日の順で更に絞込検索が行われ、該当する発信相手の一覧が電話帳として表示される。
このように、ユーザが過去に発信した発信時刻や曜日、その日が祝祭日や勤務日に該当するか否かといった発信経歴に基づいて、電話帳を表示するときの時刻、曜日、その日が祝祭日や勤務日に該当するか否かといった現在の日時の状況（条件）に適合した発信相手の一覧が電話帳として表示されるため、その電話帳には、ユーザが発信しようとする可能性の高い発信相手だけを含ませることが可能となる。これにより、電話帳への発信相手の登録件数が多くなったとしても、発信相手の電話番号を簡単に見つけることが可能となる。
【００２７】
ここで、上記の絞込検索により該当する発信相手が電話帳として表示されるが、その一覧の中に、ユーザが発信しようとする発信相手が含まれていない場合もある。そこで、本実施形態では、上記の電話帳表示処理により電話帳を表示した後、操作部１０５に設けられたＮＯボタン１１６をユーザが操作するごとに、制御部１００は、表示している電話帳の一覧に対応する絞込検索から見て一つ前の絞込検索に該当する発信相手先の一覧を表示することとしている。これにより、電話帳として表示される発信相手の数が、現在の時系的要素項目に即して段階的に増えていくため、少ない操作で発信相手の電話番号を簡単かつ迅速に見つけられる。
【００２８】
このように、本実施の形態によれば、電話帳データ１２４に登録されている発信相手に発信が行われるごとに、当該発信相手への発信時刻、その発信日の曜日、発信日が祝祭日か否か、及び、発信日が勤務日か否かを発信経歴データ１２３に記録し、電話帳の表示が指示された場合に、発信経歴データ１２３に基づいて、現在の日時に近い条件で発信され経歴のある発信相手、すなわち、発信先として選択される可能性の高い発信相手を検索し該当する発信相手を一覧表示する構成とした。
この構成により、ユーザが所望する発信相手を含む一覧が表示されることとなり、電話帳データ１２４に多くの発信相手を登録した場合であっても、簡単に発信相手を見つけ出すことが可能となる。
【００２９】
また、本実施形態によれば、過去に発信された経歴、現在時刻を含む所定の時間帯に発信された経歴、及び、現在の日付の曜日と同じ曜日に発信された経歴の順に絞込検索を順次実行して該当する発信相手を電話帳として表示し、また、絞込検索により該当する発信相手が無くなった場合には、直前の検索に該当する発信相手を電話帳として表示するようにしたため、発信先として選択される可能性のより高い発信相手だけが絞り込んで表示され、より簡単に発信相手を見つけることができる。
【００３０】
なお、上述した実施の形態は、あくまでも本発明の一態様を示すものであり、本発明の範囲内で任意に変形および応用が可能であることは勿論である。
【図面の簡単な説明】
【００３１】
【図１】本発明の実施形態に係るハンズフリー通話システムの構成を示す図。
【図２】ハンズフリー通話装置の機能的構成を示すブロック図。
【図３】発信経歴データの構成を模式的に示す図。
【図４】電話帳データの構成を模式的に示す図。
【図５】電話帳表示処理のフローチャート。
【符号の説明】
【００３２】
１  ハンズフリー通話システム
１０  ハンズフリー通話装置
２０、４０  携帯電話機
１００  制御部
１０１  近距離無線通信部
１０４  表示部
１０５  操作部
１０６  エンジン稼働検知部
１０８  記憶部
１２０  カレンダーデータ
１２２  勤務日データ
１２３  発信経歴データ
１２４  電話帳データ
１３０  検索インデックス情報
１４０  時刻パラメータ
１４１  曜日パラメータ
１４２  祝祭日パラメータ
１４３  勤務日パラメータ
【図１】
2008066826.tif 000003
【図２】
2008066826.tif 000004
【図３】
2008066826.tif 000005
【図４】
2008066826.tif 000006
【図５】
2008066826.tif 000007